(57)【要約】      （修正有）【課題】インターホン負荷回路を駆動させるための電源の定電圧制御を行うにあたり必要とされる回路構成を簡素化させ構成部品のコストを削減するとともに、消費電力の低減により省電力化を図る。【解決手段】低飽和型定電圧制御部１２を構成するメイントランジスタＴｒ1、誤差増幅トランジスタＴｒ2、ダイオードＤ1およびツェナーダイオードＺＤ1のうち、制御トランジスタＴｒ3にＬｏｗレベルが印加されたときにベースバイアス電流が印加される誤差増幅トランジスタは、ベースに印加されるツェナーダイオードにて生成された基準電圧源の基準電圧Ｖ1と、ダイオードを介してエミッタに負帰還されるメイントランジスタのコレクタ−アース間の出力電圧Ｖ2、すなわち、インターホン負荷回路１０への出力電圧とを比較し、この比較結果をもとにメイントランジスタのベースバイアス電流を変化させることにより、出力電圧が定電圧となる。【選択図】図１
2006236223.tif 000002
【特許請求の範囲】
【請求項１】
インターホン負荷回路（１０）への電力パスを制御するためのメイントランジスタ（Ｔｒ1）、前記メイントランジスタのベースバイアス電流を変化させコレクタ−アース間の出力電圧（Ｖ2）を定電圧に制御するための誤差増幅トランジスタ（Ｔｒ2）、前記出力電圧を前記誤差増幅トランジスタへ負帰還させるためのダイオード（Ｄ1）、前記誤差増幅トランジスタのベースに接続され前記出力電圧を決定するための基準電圧源となるツェナーダイオード（ＺＤ1）により構成される低飽和型定電圧制御部（１２）と、ＬｏｗレベルまたはＨｉｇｈレベルを印加することにより前記誤差増幅トランジスタのベースバイアス電流を制御し、前記メイントランジスタのベースバイアス電流を制御して前記メイントランジスタを介して前記インターホン負荷回路への電力供給をオン／オフ制御するための制御トランジスタ（Ｔｒ3）とを備えたことを特徴とするインターホン回路電源電力供給回路。
【請求項２】
前記メイントランジスタと前記誤差増幅トランジスタとの間に接続され、前記インターホン負荷回路に短絡電流が流れる等の異常が発生したとき、前記低飽和型定電圧制御部に電流制限がかかってフの字特性を持たせるための多重帰還抵抗（Ｒ3）を備えたことを特徴とする請求項１記載のインターホン回路電源電力供給回路。
【発明の詳細な説明】
【技術分野】
【０００１】
本発明は、インターホン負荷回路を駆動させるための電源を定電圧制御するインターホン回路電源電力供給回路に係り、コストの削減および省電力化が図られたインターホン回路電源電力供給回路に関する。
【背景技術】
【０００２】
従来から、この種のインターホン回路電源電力供給回路として、図３の回路ブロック図に示す構成のインターホン回路電源電力供給回路１０１が提案されている。
【０００３】
図３の回路ブロック図に示すインターホン回路電源電力供給回路１０１において、（−）側がアース（基準電位点）に接続された電源部１１１の（＋）側には、（ＰＮＰ型の）メイントランジスタＴｒ101のエミッタが接続されており、このメイントランジスタＴｒ101のコレクタには、３端子レギュレータ１１２を介して、他端がアースに接続されたインターホン負荷回路１１０の一端が接続されている。また、ベース−エミッタ間に第１の抵抗Ｒ101が接続されたメイントランジスタＴｒ101のベースには、第２の抵抗Ｒ102、（ＮＰＮ型の）制御トランジスタＴｒ102のコレクタ、エミッタを介してアースが接続されている。また、ベースに第３の抵抗Ｒ103が接続された制御トランジスタＴｒ102のベース−エミッタ間には、第４の抵抗Ｒ104が接続されている。また、メイントランジスタＴｒ101のコレクタおよび３端子レギュレータ１１２の入力側の間には、（−）側がアースに接続された第１のコンデンサＣ101の（＋）側が接続されている。さらに、３端子レギュレータ１１２の出力側およびインターホン負荷回路１１０の一端の間には、（−）側がアースに接続された第２のコンデンサＣ102の（＋）側が接続されている。
【０００４】
このように構成された従来例のインターホン回路電源電力供給回路１０１において、制御トランジスタＴｒ102のベースには、第３、第４の各抵抗Ｒ103、Ｒ104を介してＬｏｗレベルまたはＨｉｇｈレベルが印加され、この電圧レベルの相違に対応して制御トランジスタＴｒ102はオフ／オンに切り替わる。
【０００５】
ここで、ベースにＬｏｗレベルが印加されてオフ状態となる制御トランジスタＴｒ102は、メイントランジスタＴｒ101のベースバイアス電流をカットオフすることにより、メイントランジスタＴｒ101はオフ状態が保持され、電源部１１１からの直流電源Ｖ0'の給電に伴う電流（直流電流）がメイントランジスタＴｒ101のエミッタに流れ込まれた場合であっても、この電流がメイントランジスタＴｒ101のコレクタ、３端子レギュレータ１１２を介してインターホン負荷回路１１０には印加（電力パス）されず、ゆえにインターホン負荷回路１１０が駆動することはない。
【０００６】
一方、ベースにＨｉｇｈレベルが印加されてオン状態となる制御トランジスタＴｒ102は、メイントランジスタＴｒ101にベースバイアス電流を印加することにより、メイントランジスタＴｒ101はオフ状態からオン状態へと切り替わり、電源部１１１からの直流電源Ｖ0'の給電に伴う電流（直流電流）がメイントランジスタＴｒ101のエミッタ、コレクタ、３端子レギュレータ１１２を介してインターホン負荷回路１１０に印加（電力パス）され、インターホン負荷回路１１０を駆動させることができる。
【０００７】
なお、従来例のインターホン回路電源電力供給回路１０１について、開示すべき先行技術の情報はない。
【発明の開示】
【発明が解決しようとする課題】
【０００８】
しかしながら、従来例のインターホン回路電源電力供給回路１０１には、電源部１１１からの給電である直流電源Ｖ0'の電圧レベルについて、３端子レギュレータ１１２を介して安定化せねばならず、この３端子レギュレータ１１２を備えることにより構成部品のコストが増大する難点があった。
【０００９】
また、従来例のインターホン回路電源電力供給回路１０１において、インターホン負荷回路１１０に短絡電流が流れる等の異常が発生した場合、インターホン負荷回路１１０を保護するための構成部品が何ら備えられておらず、別途に保護回路を備えると構成部品のコストが増大する難点があった。
【００１０】
さらに、従来例のインターホン回路電源電力供給回路１０１において、前述のような異常がインターホン負荷回路１１０にて発生した場合、メイントランジスタＴｒ101は、飽和動作を維持するためにオーバードライブせねばならず、メイントランジスタＴｒ101に印加されるベースバイアス電流により消費電力が増大する難点があった。
【００１１】
本発明は、前述の難点を解消するためになされたもので、インターホン負荷回路を駆動させるための電源の定電圧制御を行うにあたり必要とされる回路構成を簡素化させ構成部品のコストを削減するとともに、消費電力の低減により省電力化が図られたインターホン回路電源電力供給回路を提供することを目的としている。
【課題を解決するための手段】
【００１２】
前述の目的を達成するため、本発明の第１の態様であるインターホン回路電源電力供給回路は、インターホン負荷回路への電力パスを制御するためのメイントランジスタ、メイントランジスタのベースバイアス電流を変化させコレクタ−アース間の出力電圧を定電圧に制御するための誤差増幅トランジスタ、出力電圧を誤差増幅トランジスタへ負帰還させるためのダイオード、誤差増幅トランジスタのベースに接続され出力電圧を決定するための基準電圧源となるツェナーダイオードにより構成される低飽和型定電圧制御部と、ＬｏｗレベルまたはＨｉｇｈレベルを印加することにより誤差増幅トランジスタのベースバイアス電流を制御し、メイントランジスタのベースバイアス電流を制御してメイントランジスタを介してインターホン負荷回路への電力供給をオン／オフ制御するための制御トランジスタとを備えたものである。
【００１３】
また、本発明の第２の態様は、本発明の第１の態様であるインターホン回路電源電力供給回路において、メイントランジスタと誤差増幅トランジスタとの間に接続され、インターホン負荷回路に短絡電流が流れる等の異常が発生したとき、低飽和型定電圧制御部に電流制限がかかってフの字特性を持たせるための多重帰還抵抗を備えたものである。
【発明の効果】
【００１４】
本発明のインターホン回路電源電力供給回路によれば、低飽和型定電圧制御部を構成するメイントランジスタ、誤差増幅トランジスタ、ダイオードおよびツェナーダイオードのうち、制御トランジスタにＬｏｗレベルが印加されたときにベースバイアス電流が印加される誤差増幅トランジスタは、ベースに印加されるツェナーダイオードにて生成された基準電圧源の基準電圧と、ダイオードを介してエミッタに負帰還されるメイントランジスタのコレクタ−アース間の出力電圧、すなわち、インターホン負荷回路への出力電圧とを比較し、この比較結果をもとにメイントランジスタのベースバイアス電流を変化させることにより、出力電圧が定電圧となることから、電源部からの直流電源の給電に伴う電流（直流電流）は、メイントランジスタのエミッタ、コレクタを介して定電圧制御された電流としてインターホン負荷回路に印加され、インターホン負荷回路を駆動させることができる。これにより、従来例のような定電圧制御のための３端子レギュレータは不要となり、構成部品のコストを削減できる。
【００１５】
また、インターホン負荷回路に短絡電流が流れる等の異常が発生した場合、多重帰還抵抗の作用により低飽和型定電圧制御部に電流制限がかかり、その電圧／電流特性がフの字特性となる。これにより、メイントランジスタＴｒ1に印加されるベースバイアス電流が従来例の当該ベースバイアス電流と比較して少なくなることから、消費電力を低減でき省電力化が図られる。
【発明を実施するための最良の形態】
【００１６】
以下、本発明のインターホン回路電源電力供給回路を適用した最良の実施の形態例について、図面を参照して説明する。
【００１７】
図１は、本発明の実施例によるインターホン回路電源電力供給回路１の具体的な構成を示す回路ブロック図である。
【００１８】
図１の回路ブロック図に示すインターホン回路電源電力供給回路１は、インターホン呼び出し、通話等の動作を行うためのインターホン負荷回路１０と、所定の電圧レベルの直流電源Ｖ0を生成するための電源部１１と、エミッタが電源部１１の（＋）側に、コレクタがインターホン負荷回路１０の一端にそれぞれ接続された低飽和型定電圧制御部１２を構成する（ＰＮＰ型の）メイントランジスタＴｒ1と、エミッタが後述する抵抗Ｒ2を介してアース（基準電位点）に、コレクタがメイントランジスタＴｒ1のベースにそれぞれ接続された低飽和型定電圧制御部１２を構成する（ＮＰＮ型の）誤差増幅トランジスタＴｒ2と、アノードがメイントランジスタＴｒ1のコレクタおよびインターホン負荷回路１０の一端の間に、カソードが誤差増幅トランジスタＴｒ2のエミッタおよび後述する抵抗Ｒ2の一端の間にそれぞれ接続された低飽和型定電圧制御部１２を構成するダイオードＤ1と、アノードがアースに、カソードが低飽和型定電圧制御部１２を構成する誤差増幅トランジスタＴｒ2のベースにそれぞれ接続され所定のツェナー電圧Ｖzを有する低飽和型定電圧制御部１２を構成するツェナーダイオード（定電圧ダイオード）ＺＤ1と、エミッタがアースに、コレクタが低飽和型定電圧制御部１２を構成する誤差増幅トランジスタＴｒ2のベースにそれぞれ接続された（ＮＰＮ型の）制御トランジスタＴｒ3と、一端が電源部１１の（＋）側および低飽和型定電圧制御部１２を構成するメイントランジスタＴｒ1のエミッタの間に、他端が低飽和型定電圧制御部１２を構成する誤差増幅トランジスタＴｒ2のベースにそれぞれ接続された抵抗（以下、第１の電源抵抗という。）Ｒ1と、一端が飽和型定電圧制御部１２を構成する誤差増幅トランジスタＴｒ2のエミッタに、他端がアースにそれぞれ接続された抵抗（以下、第２の電源抵抗という。）Ｒ2と、低飽和型定電圧制御部１２を構成するメイントランジスタＴｒ1および誤差増幅トランジスタＴｒ2の間に接続、すなわち、一端がメイントランジスタＴｒ1のコレクタおよびインターホン負荷回路１０の一端の間に、他端がツェナーダイオードＺＤ1のカソードおよび第１の電源抵抗Ｒ1の他端の間にそれぞれ接続された抵抗（以下、多重帰還抵抗という。）Ｒ3と、制御トランジスタＴｒ3のベースにＬｏｗレベルまたはＨｉｇｈレベルを印加するために並列接続された２つの抵抗（以下、第１、第２の各スイッチ切替抵抗という。）Ｒ4、Ｒ5と、インターホン負荷回路１０に並列接続された（電源平滑用の）コンデンサＣ1とを備えている。
【００１９】
このように構成されたインターホン回路電源電力供給回路１において、以下、具体的な動作について説明する。
【００２０】
図１の回路ブロック図に示すインターホン回路電源電力供給回路１において、制御トランジスタＴｒ3のベースには、並列接続された第１、第２の各スイッチ切替抵抗Ｒ4、Ｒ5を介してＬｏｗレベルまたはＨｉｇｈレベルが印加され、この電圧レベルの相違に対応して制御トランジスタＴｒ3はオフ／オンに切り替わる。
【００２１】
ここで、ベースにＨｉｇｈレベルが印加されてオン状態となる制御トランジスタＴｒ3は、低飽和型定電圧制御部１２を構成する誤差増幅トランジスタＴｒ2のベースバイアス電流をカットオフすることにより、誤差増幅トランジスタＴｒ2はオフ状態が保持され、メイントランジスタＴｒ1へのベースバイアス電流もカットオフとなることから、電源部１１からの直流電源Ｖ0の給電に伴う電流（直流電流）がエミッタに流れ込まれた場合であっても、この電流がメイントランジスタＴｒ1のコレクタを介してインターホン負荷回路１０には印加（電力パス）されず、ゆえにインターホン負荷回路１０が駆動することはない。
【００２２】
一方、ベースにＬｏｗレベルが印加されてオフ状態となる制御トランジスタＴｒ3は、低飽和型定電圧制御部１２を構成する誤差増幅トランジスタＴｒ2にベースバイアス電流を印加することにより、誤差増幅トランジスタＴｒ2はオフ状態からオン状態へと切り替わり、ゆえにメイントランジスタＴｒ1にベースバイアス電流が印加される。
【００２３】
また、低飽和型定電圧制御部１２を構成する誤差増幅トランジスタＴｒ2は、ベースに印加されるツェナーダイオードＺＤ1にて生成された基準電圧Ｖ1と、ダイオードＤ1を介してエミッタに負帰還されるメイントランジスタＴｒ1のコレクタ−アース間の出力電圧Ｖ2とを比較し、この比較結果が「Ｖ1≒Ｖ2」となるようにメイントランジスタＴｒ1のベースバイアス電流を変化させることにより、前述の出力電圧Ｖ2は定電圧となり、電源部１１からの直流電源Ｖ0の給電に伴う電流（直流電流）がメイントランジスタＴｒ1のエミッタ、コレクタを介して、定電圧化された電流Ｉ0としてインターホン負荷回路１０に印加（電力パス）され、インターホン負荷回路１０を駆動させることができる。なお、通常の負荷において、基準電圧Ｖ１はツェナー電圧Ｖzと等しい。
【００２４】
次に、図１の回路ブロック図に示すインターホン回路電源電力供給回路１において、前述のように駆動されたインターホン負荷回路１０にて異常が発生し、例えば、短絡電流Ｉ1が流れ始め、この短絡電流Ｉ1が式（１）に示す電流値Ｉ1となると、低飽和型定電圧制御部１２を構成する誤差増幅トランジスタＴｒ2のベースに接続された多重帰還抵抗Ｒ3の作用により、インターホン負荷回路１０に印加される電流が制限され始め、特に、インターホン負荷回路１０が完全に短絡となった場合において、式（２）に示す短絡電流Ｉｘが電流値Ｉ2まで電流制限がかかることから、図２の電圧／電流特性図に示すようなフの字特性を有することになる。
【００２５】
Ｉ1＝ｈFE1・（Ｖz−ＶBE2）／Ｒ2・・・（１）
Ｉ2＝ｈFE1・［Ｖ0・{Ｒ3／（Ｒ1＋Ｒ3）}−ＶBE2］／Ｒ2・・・（２）
また、前述の各式（１）、（２）において、ｈFE1は低飽和型定電圧制御部１２を構成するメイントランジスタＴｒ1の電流増幅率、ＶBE2は低飽和型定電圧制御部１２を構成する誤差増幅トランジスタＴｒ2のベース−エミッタ電圧をそれぞれ示すものである。
【００２６】
さらに、低飽和型定電圧制御部１２を構成する誤差増幅トランジスタＴｒ2の電流増幅率ｈFE2は充分に大きく、誤差増幅トランジスタＴｒ2のベースバイアス電流は、多重帰還抵抗Ｒ3を流れる電流に比べて無視できるほど小さいものであることから、前述の各式（１）、（２）では考慮していない。
【００２７】
なお、低飽和型定電圧制御部１２を構成するオン状態の誤差増幅トランジスタＴｒ2からメイントランジスタＴｒ1に印加されるベースバイアス電流は、前述の短絡電流Ｉ1を決定しているため、飽和動作を維持するためのオーバードライブが不要となる。これにより、メイントランジスタＴｒ1に印加されるベースバイアス電流が従来例の当該ベースバイアス電流と比較して少なくなることから、消費電力を低減でき省電力化が図られる。
【図面の簡単な説明】
【００２８】
【図１】本発明の実施例によるインターホン回路電源電力供給回路の具体的な構成を示す回路ブロック図。
【図２】本発明の実施例によるインターホン回路電源電力供給回路の電圧／電流特性を示す説明図。
【図３】従来例のインターホン回路電源電力供給回路の具体的な構成を示す回路ブロック図。
【符号の説明】
【００２９】
１０……インターホン負荷回路
１２……低飽和型定電圧制御部
Ｔｒ1……メイントランジスタ
Ｔｒ2……誤差増幅トランジスタ
Ｄ1……ダイオード
ＺＤ1……ツェナーダイオード
Ｔｒ3……制御トランジスタ
Ｒ3……多重帰還抵抗
Ｖ2……出力電圧
【図１】
2006236223.tif 000003
【図２】
2006236223.tif 000004
【図３】
2006236223.tif 000005